(57)【要約】【課題】  すくい取り、ふるい作業を１人で連続的に行うことができ、なおかつ従来のふるい及びスコップの性能を損なうことなく両立させることができる粒状物すくい取り・ふるい兼用工具を提供する。【解決手段】  図１に示される如く粒状物受け・ふるい部に把手部、柄杆部が配設されてスコップ状の形態を成し、当該粒状物受け・ふるい部は、その上部及び取入口にあたる前面が開放された箱型の形状を成し、その底面に網状、もしくは図５の符号５に示される複数の穴が開けられた材料を用いて形成され、取入口直近には放出防止用フラップ弁が配設されるように構成する。【選択図】  図１
2006070680.tif 000002
【特許請求の範囲】
【請求項１】
その全体は図１に示される如く粒状物受け・ふるい部に把手部、柄杆部が配設されてスコップ状の形態を成し、当該粒状物受け・ふるい部は、その上部及び取入口にあたる前面が開放された箱型の形状を成し、その底面に網状、もしくは図５の符号５に示される複数の穴が開けられた材料を用いて形成され、取入口直近には放出防止用フラップ弁が配設されたことを特徴とする粒状物すくい取り・ふるい兼用工具。
【発明の詳細な説明】
【技術分野】
【０００１】  本発明は主にアスファルト舗装工事、他に一般土木工事、あるいは農作業において用いられる粒状物すくい取り・ふるい兼用工具に関するものである。
【背景技術】
【０００２】  従来、土、砂、アスファルトの粒径を均一にするための作業は、堆積、あるいは掘削場所から粒状物をすくい取る「すくい作業」と、すくい取った粒状物をふるいに移し、粒径を均一にする「ふるい作業」の２工程を要していた。【０００３】  次に、従来の角型スコップのスコップ板底面に複数の穴をあけ、「すくい作業」と「ふるい作業」を１工程で行うことを意図した工具も開発されていた。【０００４】  また上述と同様の意図で通常のふるいの枠上縁部に粒状物すくい取り用の突設辺を設ける案も見受けられた。
【発明の開示】
【発明が解決しようとする課題】
【０００５】  上述【０００２】に示された方法では複数の作業員を要するか、１人の作業員が一旦工具を持ち替えて次の作業に移らざるを得ず、作業時間や人件費の増大の要因となり、特に作業の迅速性が要求されるアスファルト舗装の仕上げ工程においては、その作業効率の改善が課題になっている。【０００６】  次に上述【０００３】に示された工具においてはスコップ板の形状が従来からある浅い皿型を成しているため、ふるい作業において揺動によりスコップ板から処置前の粒状物がこぼれ落ち、効率的な作業が行えなかった。【０００７】  あるいは上述【０００４】に示された工具においては、把手部、柄杆部を持たない構造であるために、すくい取り、掘削時において作業姿勢、掘削位置等に制約をもたらす懸念があり、適用作業の汎用性の面から改善の余地があると思われる。【００１０】  当発明は上述の各課題に鑑みて、スコップ状工具と同等の作業性を持ち、なおかつふるい作業においても粒状物がこぼれ落ちない構造もつすくい取り・ふるい兼用工具を提供することを目的としてなされたものである。
【課題を解決するための手段】
【００１１】  上述の課題は、その全体が図１に示される如く粒状物受け・ふるい部に把手部、柄杆部が配設されてスコップ状の形態を成し、当該粒状物受け・ふるい部は、その上部及び取入口にあたる前面が開放された箱型の形状を成し、その底面に網状、もしくは図５の符号５に示される複数の穴が開けられた材料を用いて形成され、取入口直近には放出防止用フラップ弁が配設されるように構成することによって解決される。
【発明の効果】
【００１２】  本発明によれば、上述のすくい取り、ふるい作業を１人で連続的に行うことができ、なおかつ従来のふるい及びスコップの性能を損なうことなく両立させることができる。以上の点を評価すれば当該工具の導入は、各作業における労力の低減、作業時間の短縮、又コストの削減に多大な効果を発揮するものと思われる。
【発明を実施するための最良の形態】
【００１３】  以下本発明の望ましい実施の一形態を、図１及び図５より図６ｃを参照して詳細に説明する。図１における符号ａは粒状物を取入れ、ふるう、粒状物受け・ふるい部である。また符号ｂは柄杆部、符号ｃは把手部を示し、それらは粒状物受け・ふるい部の符号１である取入口の対辺に配設され、全体としてシャベル様の形態を成す。【００１４】  粒状物受け・ふるい部は、その上面及び取入口である前面を開放された箱型の形状を成している。【００１５】  そして符号７である底面は、網状あるいは図５の符号５に示される複数の穴が開けられたパンチングメタル状の素材により形成される。【００１６】  また図１の符号２に示される如く、粒状物受け・ふるい部の取入口直近には取り入れた粒状物の放出防止のためのフラップ弁が配設される。【００１７】  図５の符号３で示されるフラップ弁体は同図符号４に示されるように粒状物受け・取入口内部側両側面間に掛け渡された回転支軸に、同図符号６で示される仮想線上を回転自在に枢設される。【００１８】  通常フラップ弁体は図６ａに示される如く、その自重によりＡ位置、つまり粒状物受け・ふるい部底面とフラップ弁体先端が接する位置で静止しており、この時取入口は閉鎖されている。【００１９】  粒状物の取り入れ時は図６ｂに示される如く、フラップ弁体は流入した粒状物により押され、回転支軸軸心回りのＡ位置からＢ方向へ開動し、取入口に開口部が生じて粒状物が粒状物受け・ふるい部内部へ取り入れられる。【００１９】  粒状物のふるい時は図６ｃに示される如く、フラップ弁体は再度Ａ位置に戻り、取入口は閉鎖される。【００２０】  ふるい作業は図６ｃに示される如く、通常粒状物受け・ふるい部底面と平行に工具を往復運動させる作業である。この時フラップ弁体にかかる力は当該部を回転させるモーメントの方向と著しく異なる。またこの時、フラップ弁体には取り入れられた粒状物の荷重がかかり、フラップ弁体は粒状物によって押えられている。【００２１】  上述の点より、ふるい作業時におけるフラップ弁体の無用な揺動、回転による処置前の粒状物の取入口からの放出は発生しにくい。【００２２】  当実施例においては、粒状物受け・ふるい部は鋼板あるいは硬質樹脂、把手部及び柄杆部は金属、樹脂、木質系素材あるいはゴムを、用途に応じて適所に用い製作する。【００２３】  なお図面により示された各形状は当発明の主旨を逸脱しない範囲において様々な変形例が考えられるため、図面に示された形態が当発明の範囲を限定するものではない。
【図面の簡単な説明】
【図１】は本発明に係る粒状物すくい取り・ふるい兼用工具の斜視図である。
【図２】は本発明に係る粒状物すくい取り・ふるい兼用工具の正面図である。
【図３】は本発明に係る粒状物すくい取り・ふるい兼用工具の右側面図である。
【図４】は本発明に係る粒状物すくい取り・ふるい兼用工具の背面図である。
【図５】は本発明に係る粒状物すくい取り・ふるい兼用工具の粒状物受け・ふるい部の詳細斜視図である。
【図６】 
2006070680.tif 000003
【符号の説明】
ａは粒状物受け・ふるい部  ｂは柄杆部  ｃは把手部  １は取入口  ２は放出防止用フラップ弁  ３はフラップ弁体  ４は回転支軸  ５は粒状物受け・ふるい部底面にあけられた六  ６はフラップ弁体の回転軌跡を示す仮想線  ７は粒状物受け・ふるい部底面
【図１】
2006070680.tif 000004
【図２】
2006070680.tif 000005
【図３】
2006070680.tif 000006
【図４】
2006070680.tif 000007
【図５】
2006070680.tif 000008
【図６】
2006070680.tif 000009